【事件の表示】
　平成１０年特許願第　９２６５８号「電飾看板の製造方法」拒絶査定不服審判事件〔平成１１年１０月　８日出願公開、特開平１１−２７３４３３〕について、次のとおり審決する。
【結　論】
　本件審判の請求は、成り立たない。
【理　由】
１．手続きの経緯・本願発明 
　本願は、平成１０年３月２０日の出願であって、その請求項１に係る発明（以下「本願発明」という。）は、平成２０年７月１７日付けの手続補正書によって補正された明細書および図面の記載からみて、本願の特許請求の範囲の請求項１に記載された次の事項により特定されるとおりのものと認める。
　
　「【請求項１】バインダー樹脂と光拡散剤とを含み、バインダー樹脂１００重量部に対して光拡散剤を４０〜２００重量部含み、厚み０．３〜１００μｍの光拡散層と、厚み１〜２５０μｍのインクジェット記録層とを備えてなる透過表示板作製シートにインクジェットプリンターにより所望の画像を形成して透過表示板を作製した後、当該透過表示板を、光源上に、乳白色のアクリル板、透過表示板、透明アクリル板を有してなる電飾看板の透過表示板として、前記インクジェット記録層が前記透明アクリル板側となるように組み込むことを特徴とする電飾看板の製造方法。」
　
２．引用刊行物記載の発明 
　
（２−１）これに対して、当審における、平成２０年８月５日付けで通知した拒絶の理由に引用した特開平７−３１９４１０号公報（平成７年１２月８日公開、以下「引用例１」という。）には、「大型表示装置」に関する発明が開示されており、そこには、図面とともに次の事項が記載されている。 
　
・「【請求項１】  上下枠と左右の縦枠を方形に枠組みするとともにその表側に開口部を有し、裏側には長尺光源と反射板を取り付けて成る箱状枠体を備え、上記枠体の開口部には透明パネルを框組みした外側パネル体を開閉自在に支持させ、この外側パネル体の内側には半透明パネルを框組みした内側パネル体を開閉自在に支持させるとともに、上記外側パネル体と内側パネル体との間に表示フィルム等の表示手段を挟持させ、上記長尺光源からの光を上記内側パネル体から上記表示手段に照射することを特徴とする大型表示装置」（【特許請求の範囲】）
　
・「【００２１】次に、上記枠体１の開口部には外側パネル体１６が開閉自在に支持されているとともに、この外側パネル体１６の内側には内側パネル体１７が開閉自在に支持され、上記外側パネル体１６と内側パネル体１７との間に宣伝、広告、案内などを表示した表示フィルム、印刷紙等の表示手段１８が挟持されている。
【００２２】外側パネル体１６は透明アクリル板、ガラス板などの透明パネル１９を上框１９ａ、下框１９ｂ及び左右の縦框１９ｃとにより方形に框組みしてなり、透明パネル１９は方形の各框の裏側に止め具２０を介して固定されている。
【００２３】内側パネル体１７は乳白色アクリル板などの半透明パネル２１を上框２２ａ、下框２２ｂ及び左右の縦框２２ｃとにより方形に框組みしてなり、半透明パネル２１は方形の框体の表側にネジなどの止め具２３により固定されている。」
　
　これらの記載事項によると、引用例１には、
　
「宣伝、広告、案内などを表示した表示フィルム、印刷紙等の表示手段を、長尺光源上に、乳白色アクリル板、表示手段、透明アクリル板を有してなる大型表示装置の表示手段として組み込んだ大型表示装置の製造方法。」の発明（以下「引用例１記載の発明」という。）が記載されていると認められる。
　
（２−２）また、当審における拒絶の理由に引用した特開平８−１３２７２８号公報（平成８年５月２８日公開、以下「引用例２」という。）には、「インクジェット記録用シート」に関する発明が開示されており、そこには、図面とともに次の事項が記載されている。 
　
・「【０００２】
【従来の技術】近年、情報産業の急速な発展に伴い、種々の情報処理システムが開発され、また、それぞれの情報システムに適した記録方法及び装置も開発され、採用されている。このような記録方法の中で、インクジェットあるいはプロッターを用いたインク記録、及び溶融型色材あるいは昇華型色材を用いた感熱転写記録においては、使用する装置が、軽量かつコンパクト化され、騒音もなく、操作性、保守性にも優れたものとなっている。さらに、このような記録方法で使用される装置はカラー化も容易であることから、最近広く使用されている。また、従来の電子写真方式の記録においてもカラー化が進み高解像度でフルカラーのプリンター、複写機が開発され商品化されてきている。」
　
・「【０００４】一方、次のような用途では、記録用シート（画像受容シート）として透明シートを使用する必要があり、その場合に多くは表面に色材受容（吸収）層を設けた透明フィルムを記録用シートとして用いて上記のようにして画像形成し画像シートを作成する。そのような記録用シートとしては、例えば、会議等でスライドに代わり使用される機会が増えているＯＨＰフィルム、印刷ポスターや表示板の代わりに使用される機会が増えているバックライトディスプレイ用フィルム、及び第二原図用フィルム等を挙げることができる。」
　
・「【００２８】上記多数の空隙を有する透明膜である色材受容層は、特にインク受容性及び透明性に優れている。インクジェット記録において、毛細管現象によって急速にインクを吸収し且つインクニジミやインク溜まりの無い精細な記録が可能であるばかりでなく、感熱記録における色材、そして電子写真記録におけるトナーを強固に接着できる。この理由は、色材やトナーが多孔質層の細孔内にもぐり込み、その結果として三次元網目構造に起因する形状的なアンカー効果により色材等を強固に固定する為である。色材受容層の層厚は、インクジェット記録の場合は液滴を全て吸収するだけの吸収容量をもつ必要があり、これは、塗膜の空隙率との関連で決定する必要がある。例えばインク量が  ８ｎｌ／mm2 の場合で、空隙率が６０％であれば約１５μｍ以上の膜が必要となる。インクジェット記録の場合の場合は、１０〜５０μｍの範囲が好ましい。」
　
（２−３）また、当審における拒絶の理由に引用した特開平９−５０２５２号公報（平成９年２月１８日公開、以下「引用例３」という。）には、「光透過性印刷物及びそれを使用するビュアー」に関する発明が開示されており、そこには、図面とともに次の事項が記載されている。 
　
・「【０００１】
【発明の属する技術分野】本発明は、背面から光を照射することによって透過画像を表示するための光透過性印刷物及びそれを使用するビュアーに関する。
【０００２】
【発明が解決しようとする課題】一般に絵画は美術館や写真集で鑑賞するのが普通であるが、これを家庭やレストランなどにおいて鑑賞しようとした場合、光源を内蔵したビュアーにカラー写真フィルムを入れ替えて載せ、その透過画像を見ることが考えられる。或いは、透明フィルムに絵柄を印刷したものの透過画像を見ることも考えられる。しかしながら、カラー写真フィルムは品質的に優れてはいるが、製造コストが極めて高く、また大きさは写真フィルムのサイズに制約されるという問題がある。一方、透明フィルムに絵柄を印刷したものでは、繰り返して使用する際に印刷層が破損して美術的価値が損なわれるという欠点がある。また、従来から展示用、広告用等に使用される電飾ディスプレイにおいても、絵柄等を入れ替える際にこのような写真フィルムや印刷物を利用することも考えられるが、この場合にあっても同様な問題がある。」
　
・「【０００８】図１は本発明に係る光透過性印刷物の一例を示す断面図であり、図示の光透過性印刷物Ａは、透明基材フィルム１の片面に正像の多色印刷層２を形成し、その上に接着剤層３を介して透明保護フィルム４を積層した構成になっている。透明基材フィルム１としてはポリエチレンテレフタレートフィルムを用いるのが好適である。多色印刷層２は任意の印刷法で形成してよい。オフセット印刷では高い透過濃度を得るのが難しいがコストは低くて済む。この場合、オフセット枚葉印刷機での印刷適性を考慮すると、ポリエチレンテレフタレートフィルムの厚みは５０〜３００μｍが好ましく、実際的には１００μｍ前後のものがよい。高い透過濃度を得るためにはスクリーン印刷が適しているが、解像度の点で劣るので微細な絵柄には不向きであり、またオフセット印刷に比べてコストも高い。透明保護フィルム４としてはポリプロピレンフィルム（１５〜５０μｍ）が好適に用いられる。具体的には、プレコートタイプ（接着剤層３を塗布済み）のポリプロピレンフィルムを、透明基材フィルム１の多色印刷層２側に重ね合わせ、熱プレスにより貼り合わせる。このようにプレコートタイプのポリプロピレンフィルムを使用することにより、低コストで大量生産が可能となる。なお、原反にポリエチレンテレフタレートフィルムを用いた場合、通常のドライラミネート方式によるフィルム貼りではムラなく光沢感のある印刷物を得ることが困難である。
【０００９】図２に示す光透過性印刷物Ｂは、片面に白色コート層５を有する透明基材フィルム１を使用したもので、非コート面に前記したのと同様に正像の多色印刷層２を形成し、その上に接着剤層３を介して透明保護フィルム４を積層した構成になっている。また、図３に示す光透過性印刷物Ｃは、透明基材フィルム１の代わりに半透明基材フィルム６を使用したもので、前記したのと同様に、その片面に正像の多色印刷層２を形成し、その上に接着剤層３を介して透明保護フィルム４を積層した構成になっている。この白色コート層５及び半透明基材フィルム６は、無機或いは有機の白色微粒子を分散させたもので、背後からの光の全透過率をあまり落とさずに光拡散性に優れていることが、白色度、画面の明るさの均一性を高める上で必要である。」
　
・「【００１３】図示のようにこのビュアー２０は、前面に矩形状の照射面２１を有するケーシング２２と、このケーシング２２に内蔵された光源２３とからなり、光透過性印刷物を挿入してセットするための溝２４を照射面２１の左右両サイド及び底辺部に備えている。ケーシング２２の照射面２１は白色のアクリル板で構成されている。光源２３は蛍光灯でもよいが、タングステンランプを使用すれば、透過画像に情緒をかもしだす効果がある。また、光源２３は熱を発生するため、ケーシング２２の底に目立たないようにして通気孔２５を設けおくようにする。
【００１４】このビュアー２０を使用するには、図８に示すように、上方から溝２４に例えば上記のうちの光透過性印刷物Ｅを挿入することにより照射面２１の上にセットする。光源２３のスイッチオンは光透過性印刷物をセットする前でも後でも構わない。このようにすることで、照射面のアクリル板で乱反射された光が印刷物Ｆを透過し、観察者はこの透過光による画像を見ることになる。」
　
（２−４）また、当審における拒絶の理由に引用した特開平７−２０９５０２号公報（平成７年８月１１日公開、以下「引用例４」という。）には、「光拡散フィルム」に関する発明が開示されており、そこには、図面とともに次の事項が記載されている。 
　
・「【請求項１】  ポリエステル系重合体５０重量部に対して塩化ビニル−酢酸ビニル共重合体を０〜１００重量部含むバインダー中に微粉状炭酸カルシウムあるいは微粉状シリカのいづれか一方ないしは混合物を該バインダー１００重量部に対して１０〜１５０重量部配合分散した組成物を基材上に片面ないしは両面にコーティングしたことを特徴とする光拡散フィルム。」（【特許請求の範囲】）
　
・「【０００５】
【作用】本発明によれば、ポリエチレンテレフタレート等のフィルム基材に炭酸カルシウムやシリカといった比較的安価な光拡剤を用いて、光拡散層がコーティング方式によって形成されるため、拡散板の強度を下げることなく拡散剤の濃度を高く設定することが可能となり、ヘイズが８５％以上を目標とする光拡散フィルムを比較的低コストで得ることができる。且つ拡散層の厚みを拡散板の中に光拡散剤を練り込むタイプに比べて薄くできる。以上から、単位面積当たりの光の拡散効率が良くなり、また拡散層の厚さをコントロールすることによって光の全光透過率を容易に変えることができる。」
　
（２−５）また、当審における拒絶の理由に引用した特開平９−１６０１３２号公報（平成９年６月２０日公開、以下「引用例５」という。）には、「透過型スクリーン」に関する発明が開示されており、そこには、図面とともに次の事項が記載されている。 
　
・「【００１６】光拡散剤の粒子径としては、平均粒子径として１〜３０μｍのものが好適に用いられる。
【００１７】バインダー中に分散される粒子の量は、バインダー１００重量部に対して、光拡散剤粒子５０〜２５０重量部が好ましい。５０重量部より少ないと、充分な光拡散性を得ることができず、２５０重量部より多い場合には光透過性が阻害され、透過型スクリーンを透過する光量が全体として低下し、とくに明室での観視が困難となる。」
　
・「【００２１】光拡散層２の層の厚さを任意に変えるためには、上述した塗布方法のうち、特にグラビアコーター法が好適である。また他の塗布方法の場合でも、図３に示すように段階的に光拡散層２を積層していくことにより、中央部が薄く周辺部にいくにつれ厚い塗膜を形成することが可能である。光拡散層２の厚さは含有される光拡散剤の種類、量等により異なり、特に限定されないが、典型的には周辺部（最も厚い部分）で１０〜５０μｍ、好ましくは２０〜３０μｍ、中央部（最も薄い部分）で３〜１５μｍ、好ましくは５〜１５μｍである。」
　
３．対比 
　本願発明と引用例１記載の発明を対比すると、後者における「宣伝、広告、案内などを表示した表示フィルム、印刷紙等の表示手段」は、前者における「所望の画像を形成して透過表示板を作製した後」の「透過表示板」に相当する。
　また、後者における「長尺光源」、「乳白色アクリル板」、「透明アクリル板」は、前者における「光源」、「乳白色のアクリル板」、「透明アクリル板」に相当する。
　また、後者における、「大型表示装置」は、「長尺光源上に、乳白色アクリル板、表示手段、透明アクリル板を有してなる」ものであり、前者における「電飾看板」に相当するということができる。
　
　したがって、両者は、
「所望の画像を形成して透過表示板を作製した後、当該透過表示板を、光源上に、乳白色のアクリル板、透過表示板、透明アクリル板を有してなる電飾看板の透過表示板として、組み込む電飾看板の製造方法。」である点で一致し、次の各点において相違する。
　
［相違点１］
　「透過表示板」について、本願発明においては、「バインダー樹脂と光拡散剤とを含み、バインダー樹脂１００重量部に対して光拡散剤を４０〜２００重量部含み、厚み０．３〜１００μｍの光拡散層と、厚み１〜２５０μｍのインクジェット記録層とを備えてなる透過表示板作製シートにインクジェットプリンターにより所望の画像を形成」したものであるのに対し、引用例１記載の発明においては、単に、「宣伝、広告、案内などを表示した表示フィルム、印刷紙等の表示手段」である点。
　
［相違点２］
　「透過表示板として、組み込む」ことについて、本願発明においては、「インクジェット記録層が前記透明アクリル板側となるように」組み込むことであるのに対し、引用例１記載の発明においては、そのような限定がない点。
　
４．判断 
　上記相違点１について検討すると、引用例２には、例えば、「バックライトディスプレイ用フィルム」をインクジェット記録により作成すること、「その場合に多くは表面に色材受容（吸収）層を設けた透明フィルムを記録用シートとして用いて画像形成し画像シートを作成する」こと、色材受容層について、「例えばインク量が  ８ｎｌ／mm2 の場合で、空隙率が６０％であれば約１５μｍ以上の膜が必要となる。インクジェット記録の場合の場合は、１０〜５０μｍの範囲が好ましい」ことが記載されており、引用例１記載の発明においても、「表示フィルム、印刷紙等の表示手段」として、厚み１〜２５０μｍのインクジェット記録層を備えたシートを用いることは、当業者にとって、容易に想到し得ることと認められる。また、引用例３には、展示用、広告用等に使用される電飾ディスプレイに用いる「背面から光を照射することによって透過画像を表示するための光透過性印刷物」において、「透明基材フィルムの片面に正像の多色印刷層を形成し」、他の「片面に白色コート層を有する透明基材フィルムを使用」すること、「白色コート層」は、「無機或いは有機の白色微粒子を分散させたもので、背後からの光の全透過率をあまり落とさずに光拡散性に優れていることが、白色度、画面の明るさの均一性を高める上で必要である」こと、および、そのような「光透過性印刷物」をビュアーの白色のアクリル板で構成された照射面の上にセットして用いることが記載されており、引用例１記載の発明において、「表示手段」として、片面に白色コート層等の光拡散層を備えたものを採用することが、当業者にとって、格別に想到困難なことであるとは認められない。また、引用例４に、光拡散フィルムとして、混合物をバインダー１００重量部に対して１０〜１５０重量部配合分散した組成物を基材上に片面ないしは両面にコーティングすることや、「拡散層の厚さをコントロールすることによって光の全光透過率を容易に変えることができる」ことが、引用例５に、バインダー１００重量部に対して、光拡散剤粒子５０〜２５０重量部含ませることや、「光拡散層２の厚さは含有される光拡散剤の種類、量等により異なり、特に限定されないが、典型的には周辺部（最も厚い部分）で１０〜５０μｍ、好ましくは２０〜３０μｍ、中央部（最も薄い部分）で３〜１５μｍ、好ましくは５〜１５μｍである」ことが、それぞれ記載されていることを考慮すれば、「光拡散層」を、バインダー樹脂と光拡散剤とを含み、バインダー樹脂１００重量部に対して光拡散剤を４０〜２００重量部含み、厚み０．３〜１００μｍのものとすることも、当業者にとって、格別なことであるとは認められない。
　
　相違点２について検討すると、引用例３に記載されているように、白色コート層が、背後からの光の全透過率をあまり落とさずに、白色度、画面の明るさの均一性を高めるものであることを考慮すれば、引用例１記載の発明において、表示手段として白色コート層等の光拡散層を備えたものを採用した場合、白色コート層等の光拡散層を光源側にし、インクジェット記録層が透明アクリル板側となるように、表示手段を組み込むことが、当業者にとって格別なことであるとは認められない。
　
　そして、本願発明の構成によってもたらされる効果も、引用例１記載の発明、および引用例２〜５に記載された事項から当業者が予測し得る程度のものである。
　
５．むすび 
　したがって、本願発明は、引用例１記載の発明、および引用例２〜５に記載された事項に基づいて当業者が容易に発明をすることができたものであるので、特許法第２９条第２項の規定により特許を受けることができない。
　よって、結論のとおり審決する。